(57)【要約】【課題】  人が屋外にいる際非常事態が発生したときその情報を知ることや危機から回避することは困難でありよってこの不安の解消と生命、身体を守ることを課題とする。【解決手段】  屋外マルチ安全保護装置Ａは屋外の要所要所に設置され屋外にいた人が緊急、非常事態を知ったとき屋外マルチ安全保護装置Ａ内に入りスイッチボタンを押すだけで有線、無線を介し集中管理指令室Ｂとモニターによる画像対話状態になり集中管理指令室Ｂにおいて屋外マルチ安全保護装置Ａ以外からの情報をもキャッチし迅速に分析、確認し通報者や各所にある屋外マルチ安全保護装置Ａに対し広報、伝達、危機回避誘導を行い必要に応じ集中管理指令室Ｂは関係対処機関Ｃへ連携を行い屋外にいる人に安心感を与え並びに生命、身体を保護するネットワーク型緊急通信システムである。【選択図】図１
2007200260.tif 000002
【特許請求の範囲】
【請求項１】
屋外の要所要所に複数設置され緊急、非常時に即応できるスタンド型又はボックス型の屋外マルチ安全保護装置であって災害、大事故並びに大事件等の発生時に人又は自動監視装置や自動計測器による情報を特定個所にある集中管理指令室に通報可能な装置を備え集中管理指令室は要所要所にある屋外マルチ安全保護装置からの情報を受けこの情報を分析や確認の上、必要に応じ要所要所にある前記マルチ安全保護装置へ向けて災害のおそれや災害の状況を案内、広報、伝達更に危機回避誘導を各モニターへ配信を行う。よって双方からの通信回線を介し緊急、非常時情報の交流を行うネットワーク状緊急通信システム。
【請求項２】
請求項１において上記屋外マルチ安全保護装置の上部には監視カメラを設置し緊急非常時の際通報者の通報内容による状況把握の外通報地付近の状況等を集中管理指令室内に映像を伝える機能をもつ屋外マルチ安全保護装置システム。
【請求項３】
更に請求項１のごとく本装置は老若男女問わずいわゆる機械的操作を不得意とする人にも容易であり簡単にスイッチボタンを押すだけで対話モニターが作動し且つ災害のおそれや緊急非常時に屋外にいる人々に広報、伝達、誘導案内を行うため大型モニター放映や拡声器、音響警報器を併せもつ屋外マルチ安全保護装置システム。
【請求項４】
通報地の災害のおそれや災害状況を克明に把握するため屋外マルチ安全保護装置に震度計の外雨量計を設け計測した記録を集中管理指令室に自動通報可能な機器を備えた屋外マルチ安全保護装置システム。
【請求項５】
請求項１において通報者自身の身の安全や犯罪者、不審者等から避けるため入出扉を自動施錠としよってセキュリティボックス機能を併せもつ屋外マルチ安全保護装置システム。
【請求項６】
所々に屋外マルチ安全保護装置を設置することにより低学年等の通学に際し防犯的見地から必然的にセフティロード又はセフティエリアを造り出し更に校庭内外にも設置可能な屋外マルチ安全保護装置システム。
【請求項７】
要所要所に設置する屋外マルチ安全保護装置は緊急非常時のみの活用にとどまらず大型モニターテレビ放映を活用し屋外通行中等の人々に明るい社会づくりのための秩序を育成するため公徳心の向上目的でそれを換起できるスポット放映が可能である屋外マルチ安全保護装置システム。
【請求項８】
要所要所に設置する屋外マルチ安全保護装置は緊急非常時のみの活用にとどまらず大型モニターは不断においてはニュース番組を主力とした放映も可能でありよって民放テレビ放送に類似するスポットコマーシャルをそう入することによりこの広告収入は屋外マルチ安全保護装置並びに関連所の設置や維持管理費を賄う又は支えになるもので本システムがより実現可能となる屋外マルチ安全保護装置システム。
【請求項９】
屋外マルチ安全保護装置は機械式交番機能に酷似しており集中管理指令室が本署又は本部と見なすことができよって交番機能の省力化が可能となり公費削減に貢献できそのため常駐体制から巡回強化等機動性を重視し防犯又は犯罪の抑止効果が期待できる屋外マルチ安全保護装置システム。
【請求項１０】
屋外マルチ安全保護装置は他の情報機関よりも現場の状況をいち早く把握できることにより交通機関や道路運転車両内並びに道路の付帯施設案内表示に更には一般向けテレビ放送に対し臨時スポット放映等他社と提携リンクできる屋外マルチ安全保護装置システム。
【発明の詳細な説明】
【技術分野】
【０００１】  本発明は緊急非常時屋外マルチ安全保護装置を中心としたネットワーク状の緊急通信システムに関するものである。
【背景技術】
【０００２】  天変地異や火災を含む災害時において屋外にいる者はその状況を正確に把握することやその危機から回避することに乏しい状況にある。
ただし携帯用ラジオ、テレビ又は携帯電話は近年普及し携行している傾向は見受けられる。【０００３】  しかしこれら携行用グッズは不携行もあり携行していても天変地異による被害の恐れや災害発生状況を瞬時に近いタイミングで知ることは難しい状況にある。【０００４】  よってこの様な緊急、非常時又は災害のおそれのある場合各所に設置される屋外マルチ安全保護装置の機能と通報者の協力が早期の正しい触覚の役を負い集中管理指令室においては逸早くより正確な情報を得ることができる。【０００５】  又、現在非常時における通報、通信手段は機能又は技能の向上開発は各所で見られるがこれらの情報を即応的に屋外に居る人に提供つまり広報又は伝達可能な手段は皆無に等しい状況である。
【特許文献１】              特開平０２−１７７６６０号  公報
【発明の開示】
【発明が解決しようとする課題】
【０００６】  屋外において通行や集会、遊戯、スポーツ又は観戦等の際、天変地異や災害の発生の危険性や発生を知ることが難しいため生命、身体の安全を思ったとき心の不安や漠然たる恐怖感の中にいるといっても過言でないと考えられる。【０００７】  よって本発明は人が屋外にいる際、天変地異、災害等から生命や身体を守るための課題に照し災害の発生の危険性や災害の規模を逸早く知ることを可能とし更に危機回避のために集中管理室から避難誘導を伝達し従って屋外にいる人々はより安心感のもと身の危険の場合は保護されることになる。
【課題を解決するための手段】
【０００８】  上記課題を解決するため請求項１記載のごとく屋外の要所要所に設置するマルチ型安全保護装置により各現場からの情報をネットワーク状の通信回線を介し集中管理指令室に通報し受けた情報の外、他機関や他の情報を把握の場合この情報を含め分析や確認の上迅速に同指令室から要所要所にある屋外マルチ安全保護装置へ向けて安全保護目的で案内指示伝達、誘導が可能な装置を提供する。【０００９】  請求項２記載の通り屋外マルチ安全保護装置は通報者による状況通報による現状把握の外、上部に位置する監視カメラにより集中管理指令室に現状を鮮明に映し出しこの画像をもって確認と分析が容易且つ正確になるための装置を提供する。【００１０】  請求項３記載のように前記通報手段は簡単且つ容易に操作ができる。即ち通報者が１ヶ所のスイッチボタンを押すだけで屋外マルチ安全保護装置は作動し自動的に集中管理指令室と顔画像による対話がスタートし必要性に応じ要所要所にある屋外マルチ安全保護装置の近くにいる人々に通信を介し同指令室から災害のおそれや災害状況を伝え更に危険回避のため誘導を行うための屋外安全保護手段の装置を提供する。【００１１】  請求項４記載のごとく屋外マルチ安全保護装置は報道機関や他の媒体広報の情報に比べいち早くつまり通報者による現場の情報通報により実態の把握の外、屋外マルチ安全保護装置に付帯する震度計と雨量計により早期に実態を把握し今後の災害の恐れや災害の拡大を予測できる計測機器を備えもつ装置を提供する。【００１２】  請求項５記載のごとく屋外マルチ安全保護装置は災害時の対応だけでなく通報者や通行人対象に防犯的にも活用できるもので屋外マルチ安全保護装置を開扉し中に入りスタートボタンを押すと同時に扉は自動施錠となりボックス内は集中管理室の保護監視下となり犯罪者や暴漢者から一時的保護が可能となりよって屋外マルチ安全保護装置に施錠扉付防護フェンスを付帯する装置を提供する。【００１３】  請求項６記載のごとく屋外マルチ安全保護装置を歩行者道、広場、運動場、公園等の所々に設置することにより、そのためセーフティロード又はセーフティエリアができ上りよって低学年生徒等を保護する観点から防犯又は犯罪の抑止効果に貢献できる装置を提供する。【００１４】  請求項７記載のごとく、緊急、非常時以外の平穏時に屋外マルチ安全保護装置を活用することが可能であり秩序正しい社会づくりのため公徳心の高揚を目指し屋外マルチ安全保護装置の大型モニターにスポット放映、放送や音声で呼びかけることも可能であり効果の上るモラルを目標にその換起が期待できる装置を提供する。【００１５】  請求項８記載のごとく屋外マルチ安全保護装置は前記の外、平穏時には屋外にいる人々のニーズに応じるため大型モニターにニュース報道を放映し更に民放テレビ放送に類似するスポットコマーシャルをそう入し宣伝媒体に応用することにより本システムの設置費や維持管理費を賄い又は補うことが可能なシステム装置を提供する。【００１６】  請求項９記載のごとく屋外マルチ安全保護装置が要所要所に設置されることにより、防犯面から不審者の発見や犯罪者の動きを監視カメラで追い且つ記録することもできよって準交番機能を果すことになり交番にかかる人件費や諸経費つまり公費の削減化につながり更に屋外マルチ安全保護装置と関連のもと機動的巡回に力を注ぐことが可能となり得る装置を提供する。【００１７】  請求項１０記載のごとく屋外マルチ安全保護装置は現場末端の緊急、非常状況を集中管理指令室においては他の情報機関よりいち早く把握できるので交通機関や道路車両運転者向け並びに道路の付帯施設案内表示に更には一般向けテレビ放送に対し臨時スポットニュースをそう入することが可能でありよって災害のおそれ又は緊急、非常事態発生時にはあらゆる媒体により人々はそれを知り危機回避が可能となる装置を提供する。
【発明の最良の形態】
以下に本発明の実施の形態について図面とともに説明する。
【００１８】  図１は本発明の屋外マルチ安全保護装置の正面図で機能し安全、保護を得るための各付帯機器を示し並びに緊急非常時本装置と集中管理指令室更に関係対処機関との関連を示すシステム図である。
【００１９】  このシステムを構成するのは通信回線を介した遠隔的場所に位置するもので屋外マルチ安全保護装置Ａと集中管理指令室Ｂと関係対処機関Ｃの３ツに分れその間をつなぐために通報並びに広報伝達用回線２２、更に集中管理室と関係対処機関を結ぶ関係対処機関用回線２３から構成する。
【００２０】  図１のＡ屋外マルチ安全保護装置は上部からアンテナ１、監視カメラ２、雨量計３、音響警報器４、屋根５、震度計６、支柱７、広報伝達用大型モニター８、対話用カメラ９、対話モニター１０、対話マイク兼スピーカー１１、通報対話スイッチボタン１２、所在地表示板１３、防護フェンス１４、でボックス型で形成される。
【００２１】  以下仕様手順又は操作につき説明する。屋外において通行中や付近にいた人が緊急又は非常事態を知ってＡを操作する。即ち先ず防護フェンス１４の扉を開け通報対話用ボタン１２を押す。すると自動的に扉は内側より施錠される。
【００２２】  更に自動的に対話用カメラ９並びに対話用モニター１０が作動する。つまり集中管理指令室Ｂの担当者の画像が１０に映し出されよって２２の通信回線を介し対話状態となり通報者はＢの担当者の案内誘引質問に沿って順次伝える。
【００２３】  これを受けて集中管理室において専門官を交え迅速に確認と分析を行い必要性により緊急通信回線２３を用い関係対処機関Ｃへ送信する。
【００２４】  関係対処機関Ｃは必要な支援活動、いわゆる緊急出動、人命救助、消火活動、現場における避難誘導等を行うことになる。
【特許文献２】              特開２００３−３０３８２号  公報
【００２５】  次に集中管理指令室Ｂは通報者に対しこれからの行動の手順や避難方法を伝える。
【００２６】  又、他の各所に設置してある屋外マルチ安全保護装置Ａを含め通信回線２２を介して音響警報機４並びに大型モニター８を作動させ各屋外マルチ安全保護装置Ａの周辺にいる人に緊急非常事態等を知らせる。
【００２７】  更に危機回避のためエリア状況ごとに避難誘導や案内、指示等を広報伝達する。
【図面の簡単な説明】
【００２８】
【図１】本発明の屋外マルチ安全保護装置を用いたネットワーク型緊急通報通信システムの構成を示す模式図である。
【符号の説明】
【００２９】Ａ      屋外マルチ安全保護装置
Ｂ      集中管理指令室
Ｃ      関係対処機関
１      アンテナ
２      監視カメラ
３      雨量計
４      音響警報器
５      屋  根
６      震度計
７      支  柱
８      広報伝達用大型モニター
９      対話用カメラ
１０    対話用モニター
１１    対話マイク兼スピーカー
１２    通報対話スイッチボタン
１３    所在地表示板
１４    防護フェンス
２２    通報並びに広報伝達用回線
２３    関係対処機関用回線
【図１】
2007200260.tif 000003